(57)【要約】      （修正有）【課題】フロント開閉式ウエハポッド内の気体を均一に拡散させることができるウエハポッドの気体拡散装置を提供する。【解決手段】ウエハポッドの気体拡散装置であって、本体１０、係止部材２０、進気部材３０を有する。本体１０は収容空間を有する。係止部材２０は収容空間に位置し、係止部材２０の一端は本体１０前側と通路を形成する。進気部材３０と本体１０とは通じる。通路ルートを制御することで、拡散装置は気体を均一に充填する。【選択図】図２Ａ
0003198841.tif 000002
【実用新案登録請求の範囲】
【請求項１】
ウエハポッドの気体拡散装置であって、本体、係止部材、進気部材を有し、
前記本体は、収容空間を有し、
前記係止部材は、前記収容空間に位置し、前記係止部材の一端は、前記本体前側と通路を形成し、且つ前記収容空間を第一気室と第二気室とに分割し、前記第一気室と前記進気部材とは、相互に通じ、
前記進気部材と前記通路とは、前記本体と隣り合う側辺に設置し、前記第二気室の本体後側には、少なくとも１個の出気孔を設置することを特徴とするウエハポッドの気体拡散装置。
【請求項２】
前記係止部材は、延長部材を有し、
前記延長部材は、前記第一気室方向へと延長することを特徴とする請求項１に記載のウエハポッドの気体拡散装置。
【請求項３】
前記延長部材は、前記本体前側に向かい、平面を有し、
前記平面の幅は、進気部材から離れる方向へと徐々に広くなることを特徴とする請求項２に記載のウエハポッドの気体拡散装置。
【請求項４】
前記延長部材は、前記本体前側に向かい、平面を有し、
前記平面は、第一部分と第二部分を有し、
前記第二部分の幅は、前記第一部分より広いことを特徴とする請求項２に記載のウエハポッドの気体拡散装置。
【請求項５】
前記第一部分の幅は不変で、前記第二部分の幅は前記進気部材から離れる方向へと徐々に広くなることを特徴とする請求項４に記載のウエハポッドの気体拡散装置。
【考案の詳細な説明】
【技術分野】
【０００１】
本考案はフロント開閉式ウエハポッドの清掃及びその内部の気体拡散方法に関する。
【背景技術】
【０００２】
現在では電子部品のサイズは、ナノレベルまで小さくなっているため、一般の大気中の微粒子は、電子部品に対して多大な影響を及ぼし、電子部品の電気的信頼性を低下させてしまう。そのため、半導体ウエハを高度にクリーンに保持し、大気中の微粒子の汚染を受けないようにし、部品の信頼性に影響を及ぼさないようにするため、製造工程においては、半導体ウエハの固定、運搬、保管には、ウエハキャリアの方式が用いられる。ウエハキャリアには、フロンロ開閉式ウエハポッド（Ｆｒｏｎｔ  Ｏｐｅｎｉｎｇ  Ｕｎｉｆｉｅｄ  Ｐｏｄ、ＦＯＵＰ）がある。
【０００３】
従来のフロント開閉式ウエハポッドは、開口を有するポッド体、開口を密閉するドア体を有する。ポッド体内部には、固定保持装置を有し、複数の半導体ウエハを平行にセットする。ウエハポッド内部を高度にクリーンに保持するためには、定期的な清掃が必要である。
そのため、通常は気孔が設置され、内部を高度にクリーンな空間に保持している。
また、ウエハポッド内部に、ウエハを搭載する際には、ウエハ表面の湿度を低下させるため、ウエハポッド内部には、拡散装置を設置する。この時、拡散装置は、ウエハポッド底部から頂点側へと配列する複数の気孔を有する。これにより、充填された気体の拡散を図るが、ウエハポッド内への気体の平均拡散は、解決がすべき課題である。
【０００４】
フロント開閉式ウエハポッド底部の気孔は、２個の進気孔と２個の出気孔として配置する。従来のフロント開閉式ウエハポッドの清掃方法は、ウエハポッド内にウエハがない時に、気体を充填する。気体が、フロント開閉式ウエハポッド底部の２個の進気孔からフロント開閉式ウエハポッドに進入すると、大部分の気体は、２個の進気孔周囲のエリアの水分及び酸素と混ざり、出気孔へ向かい拡散及び流動する。進気孔から離れたエリア内の水分と酸素を清掃するためには、より多くの気体を持続的に充填し続ける必要がある。充填気体の量が多くなれば、混ざって置換される水分と酸素の量もより多くなり、清掃効率も高くなる。反対に、充填気体の量が少なくなれば、混ざって置換される水分と酸素の量もより少なくなり、清掃効率は低くなる。高い清掃効率を達成するため、３個の進気孔及び１個の出気孔に改良し、水分と酸素との今号速度を加速する方法もある。この方法は、フロント開閉式ウエハポッド内部にウエハがない時に限られるため、フロント開閉式ウエハポッド内にウエハがある時には適用できず、ウエハ表面の湿度を低下させることはできない。
【０００５】
ウエハをフロント開閉式ウエハポッド内部に入れると、清掃気体は、底部の貫通孔から進入後、均一に拡散させる必要がある。従来のフロント開閉式ウエハポッドは、管状拡散制御装置を有する。管状拡散制御装置には、気孔、及びウエハ保存ケース内部と通じる複数のスリットを設置される。１個或いは２個の管状拡散制御装置は、フロント開閉式ウエハポッドの後角、或いは隔室中に選択的に設置され、フロント開閉式ウエハポッド底部上の洗浄入り口に連接する。吸収材料、或いは吸収材料に対する代替えとする他、各管状拡散制御装置は、濾過器を有する。各管状部材、或いは洗浄接続口中には、逆流防止弁を有し、これにより管状部材に対して、ウエハポッドに進出する気体の流れる方向を制御し、及びその上の管状拡散部材に密封するように連接する。この方法は、清掃気体を、ポッド体底部から、頂点部へとダイレクトに送り込むことができる。これにより、各気体は、頂点部の気孔からポッド体内へと進入し、ポッド体を清掃する。
しかしながら、上記した方法では、清掃気体が底部から進入する時、先ず底部の気孔ポッド体内部へと進入するが、この時、ポッド体底部の気体流量は、頂点部より大きくなり、ポッド体内部の清掃効果は、不均一になってしまう。
【考案の概要】
【考案が解決しようとする課題】
【０００６】
前記先行技術についての説明で分かるとおり、従来のフロント開閉式ウエハポッドの進気孔と出気孔との距離により、内部清掃気体の混合を制御し、或いは拡散装置を設置することで、清掃気体を、フロント開閉式ウエハポッド底部から上方へと輸送するが、清掃気体をウエハポッド内部において拡散流量を相同にする効果を完成することはできず、ウエハポッド内にウエハがある時には、多数の死角を生じ、拡散が不均一となり、ウエハの湿度制御効果が不良となってしまう欠点がある。
【課題を解決するための手段】
【０００７】
本考案は、拡散装置を通して、フロント開閉式ウエハポッド内の気体を均一に拡散させる効果を達成でき、第一気室及び第二気室を有し、進気部材に気体を充填すると、各気体は、第一気室から第二気室へと均一に拡散し、ポッド体、拡散装置を有し、拡散装置は、フロント開閉式ウエハポッド後側に設置するウエハポッドの気体拡散装置に関する。
【０００８】
本考案によるウエハポッドの気体拡散装置は、本体、係止部材、進気部材、第一気室、第二気室を有する。
該本体は、収容空間を有する。
該進気部材は、該本体とつながる。
該係止部材は、該収容空間に位置し、該係止部材は、該本体前側に設置し、該係止部材と該本体後側とは通路を形成する。
該第一気室は、該係止部材の片側に位置し、該第一気室と該進気部材とは通じる。
該第二気室は、該係止部材の反対側に位置し、少なくとも１個の気孔を有する。
該第一気室と該第二気室とは、通路を通して相互に通じる。
清掃気体が該進気部材から充填されると、清掃気体は、第二気室底部より進入する。
該係止部材は、該第一気室と該第二気室との間に通路を形成し、該通路により、清掃気体の第一気室底部と頂点部との流量を制御する。
この時、清掃気体が該第二気室へ向かう速度は比較的緩慢で、該第一気室頂点部へ向かう速度は比較的速いため、底部から第二気室に進入する気体と頂点部から第二気室に進入する清掃気体の流量の差を大幅に低下させることができる。
該第二気室の複数の気孔を通してウエハポッド内に拡散させ、ウエハポッド内に多数のウエハがある時には、底部に位置するウエハと頂点部に位置するウエハは、流量が均一な清掃気体を受け取ることができる。
【０００９】
本考案によるウエハポッドの気体拡散装置の一実施形態では、該係止部材は、延長部材を有し、該延長部材は、該第一気室方向へと延長する。
【００１０】
本考案によるウエハポッドの気体拡散装置の一実施形態では、該延長部材は、該本体前側に向かい、平面を有し、該平面の幅は、進気部材から離れる方向へと徐々に広くなる。
【００１１】
本考案によるウエハポッドの気体拡散装置の一実施形態では、該延長部材は、該本体前側に向かい、平面を有し、該平面は、第一部分と第二部分を有し、該第二部分の幅は、該第一部分より広い。
【００１２】
本考案によるウエハポッドの気体拡散装置の一実施形態では、該第一部分は、該進気部材の片側に近く、該第二部分は、該進気部の片側から遠く、該第一部分の幅は不変で、該第二部分の幅は該進気部材から離れる方向へと徐々に広くなり、該第二部分は、該進気部材から離れる方向へと徐々に狭くなる。
【００１３】
本考案によるウエハポッドの気体拡散装置の一実施形態では、ウエハポッドは、ポッド体、ウエハポッドの気体拡散装置を有する。該ウエハポッドの気体拡散装置は、該ポッド体の後側に設置する。
【００１４】
本考案の実施形態を応用する特徴の一つは、拡散装置を通して、フロント開閉式ウエハポッド内の気体を均一に拡散させる効果を達成でき、第一気室及び第二気室を有し、進気部材に気体を充填すると、各気体は、第一気室から第二気室へと均一に拡散し、ポッド体、拡散装置を有し、拡散装置は、フロント開閉式ウエハポッド後側に設置する。
【考案の効果】
【００１５】
本考案のウエハポッドの気体拡散装置は、本体、進気部材、係止部材、第一気室、第二気室を有する。本体は、収容空間を有し、フロント開閉式ウエハポッド内へと気体を拡散、流入させられる。進気部材は、本体とつながり、清掃気体を本体内部へと充填する。係止部材は、収容空間に位置し、係止部材の一端は、本体前側と通路を形成する。第一気室底側には、進気部材と相互に通じる。第二気室は、複数の気孔を有する。係止部材は、延長部材を有し、延長部材は、進気部材に近い片側の通路ルートを短くし、進気部材から離れた片側の通路ルートを長くし、これにより第二気室から第一気室へと流入する清掃気体の流量を制御し、底側と頂点側に均一に拡散させる効果を達成する。
【図面の簡単な説明】
【００１６】
【図１Ａ】本考案の一実施形態によるウエハポッドの気体拡散装置の模式図である。
【図１Ｂ】本考案の図１Ａに示すウエハポッドの気体拡散装置のＢ’−Ｂ'位置における断面図である。
【図２Ａ】本考案の一実施形態によるウエハポッドの気体拡散装置の断面図である。
【図２Ｂ】本考案の図２Ａに示すウエハポッドの気体拡散装置のＢ’−Ｂ'位置における断面図である。
【図２Ｃ】本考案の図２Ａに示すウエハポッドの気体拡散装置のＣ’−Ｃ'位置における断面図である。
【図３】本考案の別種の一実施形態によるウエハポッドの気体拡散装置の立体図である。
【考案を実施するための形態】
【００１７】
以下に図面を参照しながら本考案を実施するための最良の形態について詳細に説明する。
【実施例１】
【００１８】
本考案の一実施形態によるウエハポッドの気体拡散装置の模式図である図１Ａに示すとおり、本考案一実施形態によるウエハポッドの気体拡散装置は、本体１０、係止部材２０、第一気室１０１、進気部材３０、第二気室１０２、少なくとも１個の出気孔４０を有する。
【００１９】
本考案の図１Ａに示すウエハポッドの気体拡散装置のＢ’−Ｂ’位置、及びＣ’−Ｃ’における断面図である図１Ｂ及び図１Ｃに示すとおり、本考案のウエハポッドの気体拡散装置は、本体１０、係止部材２０を有する。本体１０は、収容空間を有する。係止部材２０は、収容空間に位置する。係止部材２０の一端は、本体１０前側と通路を形成し、且つ収容空間を第一気室１０１と第二気室１０２とに分割する。第一気室１０１と進気部材３０とは、相互に通じる。進気部材３０と通路とは、本体１０と隣り合う側辺に設置する。第二気室１０２の本体後側には、少なくとも１個の出気孔を設置する。
【００２０】
本考案によるウエハポッドの気体拡散装置において、清掃気体が、進気部材３０より充填されると、清掃気体は、第一気室１０１に進入する。この時、第一気室１０１は、通路を通して、第二気室１０２と通じるため、通路により、清掃気体の第一気室１０１における、第二気室１０２底部と頂点部への流量を制御する。これにより、清掃気体の頂点部への充填速度はより速くなり、通路を通過して第二気室１０２へと充填される清掃気体はより緩慢になる。よって、清掃気体が第一気室１０１より第二気室１０２へと進入する流量の差を大幅に低下させることができる。
【００２１】
本考案の一実施形態によるウエハポッドの気体拡散装置の断面図である図２Ａに示すとおり、係止部材２０は、本体１０の収容空間内に設置され、本体１０前側と通路を形成する。係止部材２０は、延長部材２１を有し、延長部材２１は、第一気室１０１方向へと延長する。延長部材２１により、通路の長さを延長し、清掃気体の第一気室１０１より第二気室１０２に進入する流量の差を低下させることができる。
【００２２】
本考案の図２Ａに示すウエハポッドの気体拡散装置のＢ’−Ｂ’及びＣ’−Ｃ’位置における断面図である図２Ｂ及び図２Ｃに示すとおり、係止部材２０は、延長部材２１を有する。延長部材２１は、第一気室１０１方向へと延長する。延長部材２１は、本体１０前側に向かい、平面を有する。平面は、第一部分２１１と第二部分２１２を有する。第一部分２１１は、進気部材の片側に近く、第二部分２１２は、進気部材の片側から遠い。延長部材２１の第一部分２１１と第二部分２１２の通路の長さは異なるため、第一気室１０１から第二気室１０２へと流入する清掃気体の流量を均一に制御できる。
【００２３】
本考案の別種の一実施形態では、延長部材２１の第一部分２１１の幅は変わらないが、第二部分２１２の幅は、進気部材３０から離れる方向へと徐々に拡大する。延長部材２１延長の第一部分２１１と第二部分２１２により、第一気室１０１と第二気室１０２との間の通路は、異なる長さのルートを形成する。通路ルートの長さは、延長部材３１の本体１０前側の平面に向かう幅である。延長部材２１が進気部材３０片側に近づくと、通路ルートは比較的短くなり、つまり延長部材３１の第一部分２１１の本体１０前側の平面に向かう幅は、狭くなる。これにより、清掃気体が、進気部材３０片側に充填されると、比較的短い通路ルートは、第二気室１０２に流入する流量を制御する。通路が進気部材３０から離れると、通路ルートは、徐々に長くなり、つまり延長部材３１の第二部分２１２の本体１０前側の平面に向かう幅は、徐々に広くなる。これにより、清掃気体が、進気部材３０から離れた片側に充填されると、徐々に長くなる通路ルートにより、第一気室１０１に流入する流量を制御する。通路ルートの違いにより、清掃気体の進気部材３０に近い片側、及び進気部材３０から遠い片側の拡散流量を制御し、これにより清掃気体は第二気室１０２において、出気孔４０から均一にウエハポッド内に流入する。
【００２４】
本考案の別種の一実施形態によるウエハポッドの気体拡散装置の立体図である図３に示すとおり、フロント開閉式ウエハポッドは、ポッド体９００、及びポッド体９００後側に設置するウエハポッドの気体拡散装置８００を有する。ウエハポッドの気体拡散装置８００は、収容空間を有する本体、収容空間に位置する係止部材を有する。各係止部材の一端は、本体前側と通路を形成し、且つ収容空間を第一気室と第二気室に分割する。第一気室と進気部材とは通じ、進気部材と通路は本体の隣り合う側辺と設置し、第二気室の本体後側に、少なくとも１個の出気孔を設置する。通路を通して、第二気室により第一気室へ進入する清掃気体の流量を制御する。清掃気体が進気部材により充填されると、ウエハポッドの気体拡散装置８００を経由して、気孔により、ポッド体９００内部へと拡散され、ポッド体９００内部底側と頂点側との流量の不均一を大幅に低下させることができる。ポッド体９００内に多数のウエハを入れると、底側に位置するウエハと頂点側に位置するウエハとは、均一な流量の清掃気体を受けることができる。
【符号の説明】
【００２５】
１０  本体
２０  係止部材
２１  延長部材
３０  進気部材
４０  気孔
１０１  第一気室
１０２  第二気室
２１１  第一部分
２１２  第二部分
８００  ウエハポッドの気体拡散装置
９００  ポッド体
【図１Ａ】
0003198841.tif 000003
【図１Ｂ】
0003198841.tif 000004
【図２Ａ】
0003198841.tif 000005
【図２Ｂ】
0003198841.tif 000006
【図２Ｃ】
0003198841.tif 000007
【図３】
0003198841.tif 000008